(57)【要約】【課題】表示装置にて表示する画像の色調整を行うための変換関係を作成する手間をより少なくすることができる画像処理装置等を提供する。【解決手段】測色用画像の画像データを、予め定められた色空間において明度が低い画像から明度がより高い画像となる順で表示装置に送信する画像データ送信部２１３と、画像データ送信部２１３により送信された測色用画像の画像データを基に表示装置に表示された画像の色データを、それぞれの画像について取得する色データ取得部２１４と、色データ取得部２１４により取得された色データを基にして、表示装置にて表示する画像の色の色変換テーブルを作成する多次元ＬＵＴ作成部２１６と、を備えることを特徴とする画像処理装置。【選択図】図４
2014150398.tif 000002
【特許請求の範囲】
【請求項１】
表示装置の色変換を行うための画像の情報を、予め定められた色空間において明度が低い画像から明度がより高い画像となる順で当該表示装置に送信する画像情報送信部と、
前記画像情報送信部により送信された色変換を行うための画像の情報を基に前記表示装置に表示された画像の色情報を、それぞれの画像について取得する色情報取得部と、
前記色情報取得部により取得された前記色情報を基にして、前記表示装置にて表示する画像の色の変換関係を作成する変換関係作成部と、
を備えることを特徴とする画像処理装置。
【請求項２】
前記画像情報送信部は、前記表示装置の色変換を行うための画像の情報を、彩度が低い画像から彩度がより高い画像となる順に送信することを特徴とする請求項１に記載の画像処理装置。
【請求項３】
前記画像情報送信部は、前記表示装置の色変換を行うための画像の情報を、前記予め定められた色空間において前記明度および前記彩度が同程度であるときは、当該予め定められた色空間とは異なる色空間において明度が低い画像から明度がより高い画像となる順に送信することを特徴とする請求項１または２に記載の画像処理装置。
【請求項４】
前記画像情報送信部は、前記表示装置の色変換を行うための画像の情報の間に精度確認のための画像の情報を挿入して送信することを特徴とする請求項１乃至３の何れか１項に記載の画像処理装置。
【請求項５】
表示装置にて画像を表示するための画像情報を、予め定められた変換関係を用いて色変換処理を行い当該表示装置に出力する色変換手段と、
前記色変換手段で用いられる前記変換関係を作成する変換関係作成手段と、
を備え、
前記変換関係作成手段は、
前記表示装置の色変換を行うための画像の情報を、予め定められた色空間において明度が低い画像から明度がより高い画像となる順で当該表示装置に送信する画像情報送信部と、
前記画像情報送信部により送信された色変換を行うための画像の情報を基に前記表示装置に表示された画像の色情報を、それぞれの画像について取得する色情報取得部と、
前記色情報取得部により取得された前記色情報を基にして、前記変換関係を作成する変換関係作成部と、
を備えることを特徴とする色調整システム。
【請求項６】
コンピュータに、
表示装置の色変換を行うための画像の情報を、予め定められた色空間において明度が低い画像から明度がより高い画像となる順で当該表示装置に送信する機能と、
送信された色変換を行うための画像の情報を基に前記表示装置に表示された画像の色情報を、それぞれの画像について取得する機能と、
取得された前記色情報を基にして、前記表示装置にて表示する画像の色の変換関係を作成する機能と、
を実現させるプログラム。
【発明の詳細な説明】
【技術分野】
【０００１】
本発明は、画像処理装置、色調整システム、プログラムに関する。
【背景技術】
【０００２】
特許文献１には、測定対象となる複数の表示色の表示順序及び補正用表示色の表示タイミングを設定し、設定された表示順序に従って画像表示機器上に表示して、表示された複数の表示色及び補正用表示色を測色器で測色し、複数の表示色の測色値のそれぞれに対応する補正用表示色の白色及び黒色の測色値を用いて、複数の表示色の測色値を補正する画像処理方法が開示されている。ここでは、補正後の測色値から複数の表示色の補正後の表示色を算出し、補正後の複数の表示色から各色ごとに階調特性テーブルを作成し、補正後の測定値から色変換を作成することにより表示プロファイルを作成する。
【先行技術文献】
【特許文献】
【０００３】
【特許文献１】特開２００７−６５１９２号公報
【発明の概要】
【発明が解決しようとする課題】
【０００４】
表示装置にて表示する画像の色調整を変換関係を用いて行う場合、変換関係を作成する手間がより少ないことが望ましい。
【課題を解決するための手段】
【０００５】
請求項１に記載の発明は、表示装置の色変換を行うための画像の情報を、予め定められた色空間において明度が低い画像から明度がより高い画像となる順で当該表示装置に送信する画像情報送信部と、前記画像情報送信部により送信された色変換を行うための画像の情報を基に前記表示装置に表示された画像の色情報を、それぞれの画像について取得する色情報取得部と、前記色情報取得部により取得された前記色情報を基にして、前記表示装置にて表示する画像の色の変換関係を作成する変換関係作成部と、を備えることを特徴とする画像処理装置である。
【０００６】
請求項２に記載の発明は、前記画像情報送信部は、前記表示装置の色変換を行うための画像の情報を、彩度が低い画像から彩度がより高い画像となる順に送信することを特徴とする請求項１に記載の画像処理装置である。
請求項３に記載の発明は、前記画像情報送信部は、前記表示装置の色変換を行うための画像の情報を、前記予め定められた色空間において前記明度および前記彩度が同程度であるときは、当該予め定められた色空間とは異なる色空間において明度が低い画像から明度がより高い画像となる順に送信することを特徴とする請求項１または２に記載の画像処理装置である。
請求項４に記載の発明は、前記画像情報送信部は、前記表示装置の色変換を行うための画像の情報の間に精度確認のための画像の情報を挿入して送信することを特徴とする請求項１乃至３の何れか１項に記載の画像処理装置である。
【０００７】
請求項５に記載の発明は、表示装置にて画像を表示するための画像情報を、予め定められた変換関係を用いて色変換処理を行い当該表示装置に出力する色変換手段と、前記色変換手段で用いられる前記変換関係を作成する変換関係作成手段と、を備え、前記変換関係作成手段は、前記表示装置の色変換を行うための画像の情報を、予め定められた色空間において明度が低い画像から明度がより高い画像となる順で当該表示装置に送信する画像情報送信部と、前記画像情報送信部により送信された色変換を行うための画像の情報を基に前記表示装置に表示された画像の色情報を、それぞれの画像について取得する色情報取得部と、前記色情報取得部により取得された前記色情報を基にして、前記変換関係を作成する変換関係作成部と、を備えることを特徴とする色調整システムである。
【０００８】
請求項６に記載の発明は、コンピュータに、表示装置の色変換を行うための画像の情報を、予め定められた色空間において明度が低い画像から明度がより高い画像となる順で当該表示装置に送信する機能と、送信された色変換を行うための画像の情報を基に前記表示装置に表示された画像の色情報を、それぞれの画像について取得する機能と、取得された前記色情報を基にして、前記表示装置にて表示する画像の色の変換関係を作成する機能と、を実現させるプログラムである。
【発明の効果】
【０００９】
請求項１の発明によれば、本構成を有していない場合に比較して、表示装置にて表示する画像の色調整（色変換）を行うための変換関係を作成する手間をより少なくすることができる画像処理装置が提供できる。
請求項２の発明によれば、本構成を有していない場合に比較して、色の変換をより精度よく行える変換関係を作成することができる。
請求項３の発明によれば、本構成を有していない場合に比較して、色の変換をさらに精度よく行える変換関係を作成することができる。
請求項４の発明によれば、本構成を有していない場合に比較して、色情報の精度がより向上する。
請求項５の発明によれば、本構成を有していない場合に比較して、表示装置にて表示する画像の色調整を、より高精度に行うことができる色調整システムが提供できる。
請求項６の発明によれば、本構成を有していない場合に比較して、表示装置にて表示する画像の色調整を行うための変換関係を作成する手間をより少なくすることができる機能をコンピュータにより実現できる。
【図面の簡単な説明】
【００１０】
【図１】本実施の形態の画像表示システムの構成例を示す図である。
【図２】図１に示す画像表示システムに色設定システムを取り付けた状態を説明するための図である。
【図３】設定用ＰＣのハードウェア構成を示した図である。
【図４】本実施の形態の設定用ＰＣについての機能構成例を説明した図である。
【図５】（ａ）〜（ｂ）は、画像選択部が測色用画像を選択する順について説明した概念図である。
【図６】設定用ＰＣの動作例について説明したフローチャートである。
【発明を実施するための形態】
【００１１】
＜画像表示システムの全体構成の説明＞
以下、添付図面を参照して、本発明の実施の形態について詳細に説明する。
図１は、本実施の形態の画像表示システム１０の構成例を示す図である。
この画像表示システム１０は、ネットワークＮに接続され、表示のための画像データ（入力画像データ、画像の情報）の作成等を行う表示用ＰＣ（Personal Computer）１１と、表示画面１２１に画像を表示する表示装置１２と、表示用ＰＣ１１から入力されてくる入力画像データに色変換テーブル（変換関係）を用いて色変換処理を行い、得られた画像データ（表示用の出力画像データ）を表示装置１２に出力する色変換手段の一例としての色処理装置１３とを備えている。なお、画像表示システム１０は、ネットワークＮを介して、別の画像表示システムや各種プリンタ等と接続されている。
【００１２】
この画像表示システム１０において、表示用ＰＣ１１および色処理装置１３はＤＶＩ（Digital Visual Interface）を介して接続されており、色処理装置１３および表示装置１２もＤＶＩを介して接続されている。なお、ＤＶＩに代えて、ＨＤＭＩ（High-Definition Multimedia Interface）やDisplayPortを介して接続するようにしてもかまわない。
【００１３】
供給装置の一例としての表示用ＰＣ１１は、所謂汎用のパーソナルコンピュータである。そして、表示用ＰＣ１１は、ＯＳによる管理下において、各種アプリケーションソフトウェアを動作させることで、入力画像データの作成等が行われるようになっている。
【００１４】
また、表示装置１２は、例えばＰＣ用の液晶ディスプレイ、液晶テレビあるいはプロジェクタなど、加法混色にて画像を表示する機能を備えたもので構成される。したがって、表示装置１２における表示方式は、液晶方式に限定されるものではない。なお、図１に示す例では、表示装置１２内に表示画面１２１が設けられているが、表示装置１２として例えばプロジェクタを用いる場合、表示画面１２１は、表示装置１２の外部に設けられたスクリーン等となる。
【００１５】
色処理装置１３は、出力画像データ作成部１３１と、記憶手段の一例としての色変換テーブル記憶部１３２とを備えている。
【００１６】
出力画像データ作成部１３１は、表示用ＰＣ１１から入力されてくる入力画像データに対し、色変換テーブル記憶部１３２から読み出した色変換テーブルを用いて色変換を施し、得られた表示用の出力画像データを表示装置１２に出力する。
【００１７】
色変換テーブル記憶部１３２は、上述した出力画像データ作成部１３１による表示用の出力画像データの作成において用いられる色変換テーブルを記憶する。ここで、色変換テーブルとしては、例えば変換用の行列（マトリックス）、１次元ＬＵＴ（Look Up Table）あるいは多次元ＬＵＴ等が挙げられるが、本実施の形態では、色変換をより精度良く行うために多次元ＬＵＴが用いられる。なお、色変換テーブル記憶部１３２は、読み書き可能であって電源を供給しなくても記憶内容を保持することが可能な不揮発性メモリ（例えばフラッシュメモリ）で構成される。
【００１８】
ここで、図１に示す画像表示システム１０は、１台の表示用ＰＣ１１に１台の色処理装置１３を介して１台の表示装置１２を接続する場合を例示しているが、これに限られるものではない。例えば、１台の色処理装置１３に複数台の表示装置１２を接続し、各表示装置１２に連続した異なる画像を表示する、所謂マルチモニタ構成とすることも可能である。
【００１９】
さて、本実施の形態の画像表示システム１０では、表示用ＰＣ１１ではなく色処理装置１３が、入力画像データに色変換処理を施すことで表示用の出力画像データを作成する。ここで、色処理装置１３における色変換処理で用いられる色変換テーブルは、例えば表示装置１２のデバイス特性と、ネットワークＮを介して接続される他の画像表示システムやプリンタ等のデバイス特性とを加味し、図１に示す画像表示システム１０および他の画像表示システムやプリンタ等での色表現を合致させるように、その作成が行われる。そして、画像表示システム１０では、画像表示システム１０に後述する色設定システムを外付けした状態で、表示装置１２のデバイス特性を加味した色変換テーブルの作成が実行される。
【００２０】
次に色処理装置１３で用いられる色変換テーブルの作成において、画像表示システム１０に取り付けられる色設定システムについて説明を行う。
図２は、図１に示す画像表示システム１０に色設定システム２０を取り付けた状態を説明するための図である。
【００２１】
本実施の形態の色設定システム２０は、画像表示システム１０の色処理装置１３に接続される設定用ＰＣ２１と、設定用ＰＣ２１に接続されるとともに画像表示システム１０の表示装置１２における表示画面１２１に表示された画像の色を測定する測色器２２とを備えている。
【００２２】
この色設定システム２０において、設定用ＰＣ２１および測色器２２は、ＵＳＢ（Universal Serial Bus）あるいはＲＳ−２３２Ｃを介して接続されている。また、色設定システム２０における設定用ＰＣ２１と画像表示システム１０における色処理装置１３とは、ＵＳＢを介して接続されている。
【００２３】
色設定システム２０において、設定用ＰＣ２１は、詳しくは後述するが所謂汎用のパーソナルコンピュータであり、例えば可搬性に優れたノート型ＰＣ等が用いられる。そして、設定用ＰＣ２１も、ＯＳによる管理下において、各種アプリケーションソフトウェアを動作させるようになっている。
【００２４】
また、測色器２２は、画像表示システム１０の表示装置１２に設けられた表示画面１２１に接触あるいは非接触に配置されることで、表示画面１２１に表示される画像の色を測定するセンサを備えている。この例において、測色器２２に設けられたセンサによる測定領域の大きさは、表示画面１２１の大きさ以下となるように設定されている。そして、測色器２２は、表示画面１２１の全領域について測色を行うのではなく、全領域のうち予め決められた一部領域について測色を行うように構成されている。
【００２５】
ここで、図２に示す色設定システム２０は、１台の設定用ＰＣ２１に１台の測色器２２を接続する場合を例示しているが、これに限られるものではない。例えば、１台の設定用ＰＣ２１に複数台の測色器２２を接続するように構成することも可能である。
【００２６】
本実施の形態では、色設定システム２０に設けられた設定用ＰＣ２１が、色変換テーブルを作成し、画像表示システム１０の色処理装置１３に設けられた色変換テーブル記憶部１３２に対し、色変換テーブルを書き込むことが可能となっている。本実施の形態において、この設定用ＰＣ２１は、色処理装置１３で用いられる色変換テーブルを作成する変換関係作成手段（画像処理装置）として捉えることができる。
【００２７】
そして、本実施の形態の画像表示システム１０は、通常は、色設定システム２０が取り付けられていない状態で、表示用ＰＣ１１が作成した入力画像データを、色処理装置１３にて色変換することで得られた表示用の出力画像データに基づく画像（表示用画像）を、表示装置１２の表示画面１２１に表示するようになっている。一方、この画像表示システム１０は、色変換テーブルの作成あるいは変更等を実行する際に、色設定システム２０が取り付けられた状態で、色処理装置１３が作成した測色用の出力画像データに基づく画像（測色用画像、色パッチ）を、表示装置１２の表示画面１２１に表示するようになっている。
【００２８】
以上説明したように、表示装置１２の色変換処理を行うために用いられる多次元ＬＵＴを作成するためには、表示装置１２のデバイスの特性把握のために測色器２２を用いて測色用画像を測定する必要がある。そして測定を行うためには測色器２２のキャリブレーションを行う必要がある。しかしながら測色器２２のキャリブレーションを行ってから時間を経つと経時変化によって測定精度が著しく落ちてしまう。この時間は、例えば５分〜１０分程度である。一方、測定を行う測色用画像は、測定精度を高めるためには多くのものを用意する必要があり、その数は例えば、１５０以上である。また１つの測色用画像を測定するには、安定した測定値を取得するのに約４秒程度要するのが一般的である。そのため高い測定精度で測定を行いたい場合、測定の途中でキャリブレーションを定期的に行わなければならず、多くの時間と手間がかかるといった問題があった。ここで測定値を補正することで精度を向上させるといった従来技術が存在するものの、多次色を補正する多次元ＬＵＴのようなパラメータを生成するには測定に要する測色用画像の数が非常に多いため、色によっては高い精度を得ることができない。さらにまた装置構成が複雑になるため処理にも時間がかかってしまうといった問題があった。
【００２９】
そこで本実施の形態では、設定用ＰＣ２１として以下の構成のものを用い、上記問題の抑制を図っている。
【００３０】
＜設定用ＰＣのハードウェア構成例＞
次に、設定用ＰＣ２１のハードウェア構成について説明する。
図３は、設定用ＰＣ２１のハードウェア構成を示した図である。
設定用ＰＣ２１は、上述したようにパーソナルコンピュータ等により実現される。そして図示するように、設定用ＰＣ２１は、演算手段であるＣＰＵ（Central Processing Unit）４１と、記憶手段であるメインメモリ４２、およびＨＤＤ（Hard Disk Drive）４３とを備える。ここで、ＣＰＵ４１は、ＯＳ（Operating System）やアプリケーションソフトウェア等の各種プログラムを実行する。また、メインメモリ４２は、各種プログラムやその実行に用いるデータ等を記憶する記憶領域であり、ＨＤＤ４３は、各種プログラムに対する入力データや各種プログラムからの出力データ等を記憶する記憶領域である。
【００３１】
さらに、設定用ＰＣ２１は、外部との通信を行うための通信インターフェース（以下、「通信Ｉ／Ｆ」と表記する）４４と、ビデオメモリやディスプレイ等からなり、画像を表示するモニタ４５と、キーボードやマウス等の入力デバイス４６とを備える。
【００３２】
＜設定用ＰＣの機能構成例＞
図４は、本実施の形態の設定用ＰＣ２１についての機能構成例を説明した図である。
図示した設定用ＰＣ２１は、画像選択部２１１と、画像データ記憶部２１２と、画像データ送信部２１３と、色データ取得部２１４と、キャリブレーション判断部２１５と、多次元ＬＵＴ作成部２１６とを備える。
【００３３】
画像選択部２１１は、表示装置１２の色調整を行うための画像を選択する。この色調整を行うための画像は、上述した測色用画像である。
画像データ記憶部２１２は、画像選択部２１１で選択される測色用画像の画像データ（情報）を記憶する。画像選択部２１１は、画像データ記憶部２１２から選択した測色用画像の画像データを取得する。
ここで画像選択部２１１は、測色用画像を複数選択する。さらにこのとき画像選択部２１１は、下記の（１）〜（３）の規則に従い、測色用画像を順次選択していく。
（１）予め定められた色空間において明度が低い測色用画像から明度がより高い測色用画像となる順
（２）予め定められた色空間において明度が同程度であるときは、彩度が低い測色用画像から彩度がより高い測色用画像となる順
（３）予め定められた色空間において、明度および彩度が同程度であるときは、この予め定められた色空間とは異なる色空間において明度が低い測色用画像から明度がより高い測色用画像となる順
【００３４】
本実施の形態で、使用される予め定められた色空間およびこの予め定められた色空間とは異なる色空間は、Ｌａｂ色空間のような均等色空間、ＨＳＬ色空間またはＹＣｂＣｒ色空間のような輝度／明度と色相／色み／彩度とにより表現される色空間、ＸＹＺ色空間等を用いることができる。
【００３５】
なお予め定められた色空間において、明度および彩度が同程度であるときは、１つ前に選択した測色用画像に対し、色相が隣り合うものを選択することが好ましい。色相が離れすぎると、表示装置１２によっては表示される測色用画像の色が安定するまで時間がかかる場合があり、色相が隣り合うものを選択することでこの現象を抑制できる。
【００３６】
図５（ａ）〜（ｂ）は、画像選択部２１１が測色用画像を選択する順について説明した概念図である。
図５（ａ）では、予め定められた色空間としてＬａｂ色空間を例示し、Ｌ＊、ａ＊、ｂ＊の各値を用いて測色用画像を選択する。図示するＬａｂ色空間において、上下に連続して配置される菱形が測色用画像として選択される色の範囲を表わす。この場合、上下方向が明度が変化する方向であり、上方向に行くに従い明度が高く、下方向に行くに従い明度は低くなる。よってこのＬａｂ空間中において測色用画像の色は、最も下部に位置する色から順次上方向に位置する色になるように順に選択される。
図５（ｂ）は、明度が同程度の場合において、測色用画像を選択する順について説明している。ここでは最も彩度が低い色としてまずａ＊、ｂ＊がともに０となる中央部分の色が選択される。そして色相が隣り合うとともに、彩度が低い色から順次彩度が高い色が測色用画像の色として選択される様子を表わしている。
【００３７】
画像データ送信部２１３は、画像情報送信部の一例であり、表示装置１２の色調整を行うために、画像選択部２１１が選択した測色用画像の画像データを表示装置１２に送信する。このとき画像データ送信部２１３は、画像選択部２１１が選択した順で測色用画像の画像データを表示装置１２に送信する。
つまりまず画像データ送信部２１３は、測色用画像の画像データを明度が低い測色用画像から明度がより高い測色用画像となる順に送信する。さらに画像データ送信部２１３は、明度が同程度であるときは、彩度が低い測色用画像から彩度がより高い測色用画像となる順に送信する。そして明度および彩度が同程度であるときは、この予め定められた色空間とは異なる色空間において明度が低い測色用画像から明度がより高い測色用画像となる順に送信する。
【００３８】
なお画像データ送信部２１３は、予め定められた時間間隔毎に測色用画像の画像データの間に精度確認のための画像（精度確認用画像）の画像データを挿入して送信することが好ましい。この画像データは、例えば、黒画面を表示するための画像データであり、この画像データにより表示装置１２には、全面に黒の画像が表示される。そしてこの黒画面を表示したときに測色器２２により色を読み取ったときに取得される色データが本来取得されるはずの値からずれる量により、測色器２２の測定精度を判断することができる。つまりキャリブレーションを行った後の時間の経過により測色器２２の測定精度が落ちているか否かが判断できる。
【００３９】
表示装置１２では、画像データ送信部２１３により送信された測色用画像の画像データを基に測色用画像の画像が順に表示される。表示装置１２に表示された測色用画像の画像は、測色器２２により色が読み取られる。そして測色器２２は、それぞれの測色用画像の画像を読み取ることで取得した色情報（色データ）を設定用ＰＣ２１に対し、送信する。このとき測色器２２が出力する色データは、例えば、ＸＹＺ色空間におけるＸ値、Ｙ値、Ｚ値である。また例えば、Ｌ＊ａ＊ｂ＊色空間におけるＬ＊値、ａ＊値、ｂ＊値となる。
【００４０】
色データ取得部２１４は、色情報取得部の一例であり、測色器２２により送信された測色用画像の色データを、それぞれの画像について取得する。
【００４１】
キャリブレーション判断部２１５は、測色器２２により送信された測色用画像の色データとして上記精度確認用画像の色データを取得したときに、測色器２２のキャリブレーションを行う必要があるか否かを判断する。つまり測色器２２により精度確認用画像の色を読み取ったときに取得される色データが本来取得されるはずの値から予め定められた量以上ずれたときは、キャリブレーション判断部２１５は、測色器２２のキャリブレーションを行う必要があると判断する。このときキャリブレーション判断部２１５は、キャリブレーションを行う必要がある旨の警告情報を、例えば、表示装置１２に表示することで設定用ＰＣ２１を操作する作業者に注意を促すことができる。一方、色データのずれが予め定められた量未満だったときは、キャリブレーション判断部２１５は、測色器２２のキャリブレーションを行う必要がないと判断する。
【００４２】
多次元ＬＵＴ作成部２１６は、変換関係作成部の一例であり、色データ取得部２１４により取得された色データを基にして、表示装置１２にて表示する画像の色の多次元ＬＵＴ（変換関係）を作成する。
この多次元ＬＵＴは、公知の方法により作成することができる。例えば、線形回帰モデルや、高次多項式近似モデル、ニューロモデル等が使用できる。この多次元ＬＵＴは、例えば、赤色信号（Ｒ）、緑色信号（Ｇ）、青色信号（Ｂ）からなる入力画像データを例えば、赤色信号（Ｒ’）、緑色信号（Ｇ’）、青色信号（Ｂ’）からなる出力画像データに変換（ＲＧＢ→Ｒ’Ｇ’Ｂ’に変換）するものとなる。
【００４３】
図３に示す設定用ＰＣ２１において、ＨＤＤ４３には、図４に示す各機能を実現するためのプログラムが格納されている。そして、このプログラムがメインメモリ４２にロードされ、このプログラムに基づく処理がＣＰＵ４１により実行されることにより、これら各機能が実現される。
【００４４】
具体的には、設定用ＰＣ２１において、例えばアプリケーションソフトウェア等として用意されたプログラムに基づいてＣＰＵ４１が行う指示により、通信Ｉ／Ｆ４４を介して測色用画像の画像データを表示装置１２に送信するとともに、測色器２２により送信された測色用画像の色データを取得する。また測色用画像の画像データは、ＨＤＤ４３に格納されている。そしてＣＰＵ４１が行う指示により表示装置１２の色調整を行うための画像が選択されるとともに、ＨＤＤ４３から選択された測色用画像の画像データが取得される。さらに多次元ＬＵＴの作成は、ＣＰＵ４１が演算を行うことで実現することができる。またキャリブレーションを行う必要がある旨の警告情報は、モニタ４５に表示させることができ、設定用ＰＣ２１に処理の開始を指示するのは、入力デバイス４６を介して行うことができる。
【００４５】
＜設定用ＰＣの動作の説明＞
図６は、設定用ＰＣ２１の動作例について説明したフローチャートである。
以下、図４および図６を使用して設定用ＰＣ２１の動作について説明を行なう。
【００４６】
まず画像選択部２１１が、表示装置１２の色調整を行うための測色用画像を選択し、この測色用画像の画像データを画像データ記憶部２１２から取得する（ステップ５０１）。このとき画像選択部２１１は、上述した（１）〜（３）の規則に従い、測色用画像を順次選択していく。
【００４７】
次に画像データ送信部２１３は、画像選択部２１１で選択された測色用画像１つの画像データを表示装置１２に送信する（ステップ５０２）。画像データ送信部２１３が送信する測色用画像の画像データは、画像選択部２１１で選択された順となるため、上述した（１）〜（３）の規則と同様の順で表示装置１２に１つずつ送信される。
【００４８】
そして画像データ送信部２１３は、精度確認用画像の画像データを送信する時間になったか否かを判断する（ステップ５０３）。この画像データは、上述したように表示装置１２に黒画面を表示するものである。そして精度確認用画像の画像データを送信する時間の判断は、測定開始または前回この画像データの送信を行ってから経過した時間として予め定められた時間以上経過したか否かにより判断される。
【００４９】
そして画像データ送信部２１３が、精度確認用画像の画像データを送信する時間になったと判断したとき（ステップ５０３でＹｅｓ）は、画像データ送信部２１３は、この画像データの送信を行う（ステップ５０４）。一方、精度確認用画像の画像データを送信する時間になっていないと判断したとき（ステップ５０３でＮｏ）は、次のステップ５０５に進む。
【００５０】
次に色データ取得部２１４が、測色器２２により送信された測色用画像の色データを取得する（ステップ５０５）。
【００５１】
そして色データ取得部２１４により取得された測色用画像の色データとして精度確認用画像の色データを取得したときは、キャリブレーション判断部２１５は、測色器２２のキャリブレーションを行う必要があるか否かを判断する（ステップ５０６）。このときキャリブレーション判断部２１５が、測色器２２のキャリブレーションを行う必要があると判断したとき（ステップ５０６でＹｅｓ）は、キャリブレーション判断部２１５は、モニタ４５に警告情報を出力する（ステップ５０７）。またこのとき測色器２２のキャリブレーションが終了するまで一連の処理を停止してもよい。一方、キャリブレーション判断部２１５が、測色器２２のキャリブレーションを行う必要はないと判断したとき（ステップ５０６でＮｏ）は、次のステップ５０８に進む。
【００５２】
次に画像データ送信部２１３は、画像選択部２１１で選択された測色用画像の画像データを全て表示装置１２に送信したか否かを判断する（ステップ５０８）。そして画像データ送信部２１３が、測色用画像の画像データを全て表示装置１２に送信していた場合（ステップ５０８でＹｅｓ）、次のステップ５０９に進む。一方、測色用画像の画像データを全て表示装置１２に送信していない場合（ステップ５０８でＮｏ）、ステップ５０２に戻り、次の測色用画像の画像データを表示装置１２に送信する。
【００５３】
次に多次元ＬＵＴ作成部２１６が、測色用画像の画像データと取得された色データに基づき、表示装置１２にて表示する画像の色を調整するための多次元ＬＵＴを作成する（ステップ５０９）。
そして作成された多次元ＬＵＴのデータは、色処理装置１３の色変換テーブル記憶部１３２（図１参照）に格納される色変換テーブルとしての多次元ＬＵＴの各格子点データとして格納される。
【００５４】
以上のように本実施の形態では、測色用画像を測定する順として、明度が低い画像から明度がより高い画像となるようにしている。このようにすることで測色器２２の測定精度が高い状態にあるときに明度がより低い画像の測定を行うことができる。つまり明度がより低い画像について測色器２２の測定精度が低い状態で測定した場合、測定誤差の影響が大きくなるが、明度がより高い画像については、測定誤差の影響をより受けにくい。より具体的には、例えば、測色器２２が測定値として出力する色データが、例えば、ＸＹＺ色空間におけるＸ値、Ｙ値、Ｚ値であった場合、明度がより低い画像では、Ｘ値、Ｙ値、Ｚ値は何れも小さい値を採る。このとき測色器２２の測定誤差が生じた場合、測定値に対する測定誤差の割合が大きく、測定誤差の影響が大きくなる。対して明度がより高い画像では、Ｘ値、Ｙ値、Ｚ値はより大きい値を採るため、測色器２２の測定誤差が生じた場合でも、測定値に対する測定誤差の割合が小さく、測定誤差の影響は小さくなる。結局、本実施の形態では、測色器２２の測定精度の影響を受けにくく、最終的に作成される多次元ＬＵＴのデータの精度もより高いものとなる。
【００５５】
また本実施の形態では、測色用画像を測定する順として、明度が同程度であるときは、彩度がより低い画像から彩度がより高い画像となるようにしている。これは明度の場合と同様の理由による。具体的には、例えば、測色器２２が測定値として出力する色データが、例えば、ＸＹＺ色空間におけるＸ値、Ｙ値、Ｚ値であった場合、彩度がより低い画像では、Ｘ値、Ｚ値は何れも小さい値を採り、彩度がより高い画像では、Ｘ値、Ｚ値はより大きい値を採る。そのため測色器２２の測定誤差が生じた場合、彩度がより低い画像の場合の方が、彩度がより高い画像より測定誤差の影響は大きい。
さらに本実施の形態では、測色用画像を測定する順として、予め定められた色空間において、明度および彩度が同程度であるときは、この予め定められた色空間とは異なる色空間において明度が低い測色用画像から明度がより高い画像となるようにしているが、これも同様の理由による。
【００５６】
また本実施の形態では、より測定精度を要求される画像について先に測定を行うため、キャリブレーションを行う頻度を低減させることができる。そのため測定を行う手間をより少なくすることができる。
【００５７】
なお、本実施の形態の画像表示システム１０では、表示用ＰＣ１１と表示装置１２との間に、これら表示用ＰＣ１１と表示装置１２とは別体にて色処理装置１３を配置するようにしていたが、これに限られるものではない。例えば、色処理装置１３の機能を、表示用ＰＣ１１に内蔵させてもかまわないし、表示装置１２に内蔵させてもかまわない。
【００５８】
また本実施の形態では、設定用ＰＣ２１は、表示用ＰＣ１１とは、別体となっていたが、表示用ＰＣ１１に設定用ＰＣ２１の機能を備えることも可能である。この場合、表示用ＰＣ１１が、画像処理装置（変換関係作成手段）として機能する。
【００５９】
＜色調整システムの説明＞
また上述した色処理装置１３および設定用ＰＣ２１は、表示装置１２にて画像を表示するために作成された入力画像データを、予め定められた色変換テーブルを用いて色変換処理を行い表示装置１２に出力する色処理装置１３と、色処理装置１３で用いられる色変換テーブルを作成する設定用ＰＣ２１と、を備え、設定用ＰＣ２１は、測色用画像の画像データを予め定められた色空間において明度が低い画像から明度がより高い画像となる順で表示装置１２に送信する画像データ送信部２１３と、画像データ送信部２１３により送信された測色用画像の画像データを基に表示装置１２に表示された画像の色データを、それぞれの画像について取得する色データ取得部２１４と、色データ取得部２１４により取得された色データを基にして、色変換テーブルを作成する多次元ＬＵＴ作成部２１６と、を備えることを特徴とする色調整システムとして捉えることもできる。
【００６０】
＜プログラムの説明＞
ここで以上説明を行った本実施の形態における設定用ＰＣ２１が行なう処理は、上述した通り、例えば、アプリケーションソフトウェア等のプログラムとして用意される。
【００６１】
よって設定用ＰＣ２１が行なう処理は、コンピュータに、測色用画像の画像データを予め定められた色空間において明度が低い画像から明度がより高い画像となる順で表示装置１２に送信する機能と、送信された測色用画像の画像データを基に表示装置１２に表示された画像の色データを、それぞれの画像について取得する機能と、取得された色データを基にして、表示装置１２にて表示する画像の色の色変換テーブルを作成する機能と、を実現させるプログラムとして捉えることもできる。
【００６２】
なお、本実施の形態を実現するプログラムは、通信手段により提供することはもちろん、ＣＤ−ＲＯＭ等の記録媒体に格納して提供することも可能である。
【００６３】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００６４】
１０…画像表示システム、１１…表示用ＰＣ、１２…表示装置、１３…色処理装置、２０…色設定システム、２１…設定用ＰＣ、２２…測色器、２１１…画像選択部、２１３…画像データ送信部、２１４…色データ取得部、２１６…多次元ＬＵＴ作成部、Ｎ…ネットワーク
【図１】
2014150398.tif 000003
【図２】
2014150398.tif 000004
【図３】
2014150398.tif 000005
【図４】
2014150398.tif 000006
【図５】
2014150398.tif 000007
【図６】
2014150398.tif 000008